(57)【要約】【課題】現場での施工を短縮し得る床下点検口を提供する。【解決手段】床に形成された開口部２に設けられる床下点検口１である。床下点検口１は、内枠および外枠を一体化した内外一体枠３０と、内外一体枠３０の内側に張られた蓋板５０と、開口部２の内周面に固定されて内外一体枠３０を受ける枠受材７とを備える。内外一体枠３０は、開口部２の内側に張り出して蓋板５０を覆う内鍔部３１と、開口部２の縁に張り出した外鍔部３２とを有する。枠受材７は、開口部２の縁に掛けられる掛部６１と、内外一体枠３０を支持する上段部６３および下段部６６と、掛部６１と上段部６３とを接続する立ち上がり部６２とを有する。立ち上がり部６２は、上段部６３および下段部６６に支持された内外一体枠３０を床に対して適切な高さにする上下幅ｈを有する。【選択図】図２
2019119985.tif 000002
【特許請求の範囲】
【請求項１】
床に形成された開口部に設けられる床下点検口であって、
内枠および外枠を一体化した内外一体枠と、
前記内外一体枠の内側に張られた蓋板と、
前記開口部の内周面に固定されて前記内外一体枠を受ける枠受材とを備え、
前記内外一体枠が、
前記開口部の内側に張り出して前記蓋板を覆う内鍔部と、
前記開口部の縁に張り出した外鍔部とを有し、
前記枠受材が、
前記開口部の縁に上端を合わせる上端調整部と、
前記内外一体枠を支持する支持部と、
前記上端調整部と支持部とを接続する立ち上がり部とを有し、
前記立ち上がり部が、前記支持部に支持された前記内外一体枠を前記床に対して適切な高さにする上下幅を有することを特徴とする床下点検口。
【請求項２】
枠受材が、
開口部の内周面に固定された固定体と、
上端調整部、支持部、および、立ち上がり部を有して前記固定体に着脱自在の屈曲板とを有することを特徴とする請求項１に記載の床下点検口。
【請求項３】
屈曲板の上端調整部、支持部、および、立ち上がり部が平面視で閉じた形状であり、
前記屈曲板が、
前記支持部の内周端に接続されて平面視で閉じた形状の鉛直側板と、
前記鉛直側板の下端に接続された水平底板と、
前記鉛直側板に囲われた部分で且つ前記水平底板の上に形成された収納空間とを有する収納ボックスであることを特徴とする請求項２に記載の床下点検口。
【発明の詳細な説明】
【技術分野】
【０００１】
本発明は、床下点検口に関するものである。
【背景技術】
【０００２】
一般的に、床下点検口は、床に形成された矩形の開口部に設けられ、当該開口部の縁から内周面に亘って取り付けられる外枠と、蓋の枠材として機能する内枠とを備える。すなわち、このような床下点検口は、枠材が縁に取り付けられた開口部に対して、内枠に蓋材が張られた蓋を開閉するように設計される（例えば、特許文献１参照）。
【先行技術文献】
【特許文献】
【０００３】
【特許文献１】特開２０１０−２０９５３５号公報
【発明の概要】
【発明が解決しようとする課題】
【０００４】
ところで、前記特許文献１に示すような従来の床下点検口は、床に形成された開口部に外枠を取り付けるという、現場での施工が必要になる。現場での施工は、工場での施工と異なり、量産に適しないので、できるだけ短縮したいという要望がある。しかしながら、外枠は、開口部を閉じた際の蓋の高さを適切にするためにも必要な部材なので、従来の床下点検口には、現場での施工に時間を要するという問題があった。
【０００５】
そこで、本発明は、現場での施工を容易にし得る床下点検口を提供することを目的とする。
【課題を解決するための手段】
【０００６】
前記課題を解決するため、第１の発明に係る床下点検口は、床に形成された開口部に設けられる床下点検口であって、
内枠および外枠を一体化した内外一体枠と、
前記内外一体枠の内側に張られた蓋板と、
前記開口部の内周面に固定されて前記内外一体枠を受ける枠受材とを備え、
前記内外一体枠が、
前記開口部の内側に張り出して前記蓋板を覆う内鍔部と、
前記開口部の縁に張り出した外鍔部とを有し、
前記枠受材が、
前記開口部の縁に上端を合わせる上端調整部と、
前記内外一体枠を支持する支持部と、
前記上端調整部と支持部とを接続する立ち上がり部とを有し、
前記立ち上がり部が、前記支持部に支持された前記内外一体枠を前記床に対して適切な高さにする上下幅を有するものである。
【０００７】
また、第２の発明に係る床下点検口は、第１の発明に係る床下点検口における枠受材が、
開口部の内周面に固定された固定体と、
上端調整部、支持部、および、立ち上がり部を有して前記固定体に着脱自在の屈曲板とを有するものである。
【０００８】
さらに、第３の発明に係る床下点検口は、第２の発明に係る床下点検口における屈曲板の上端調整部、支持部、および、立ち上がり部が平面視で閉じた形状であり、
前記屈曲板が、
前記支持部の内周端に接続されて平面視で閉じた形状の鉛直側板と、
前記鉛直側板の下端に接続された水平底板と、
前記鉛直側板に囲われた部分で且つ前記水平底板の上に形成された収納空間とを有する収納ボックスである。
【発明の効果】
【０００９】
前記床下点検口によると、内枠および外枠という２つの枠を必要とせず、さらに、上端調整部を開口部の縁に上端を合わせるだけで当該開口部を閉じた蓋が適切な高さにされるので、現場での施工を容易にすることができる。
【図面の簡単な説明】
【００１０】
【図１】本発明の実施の形態１に係る床下点検口の蓋を開いた状態での斜視図である。
【図２】同床下点検口の蓋を閉じた状態での横断面図である。
【図３】同床下点検口の蓋を受ける枠受材を上正面から示す斜視図である。
【図４】同枠受材の屈曲板を下背面から示す斜視図である。
【図５】同屈曲板の背面図である。
【図６】同枠受材の固定体を上正面から示す斜視図である。
【図７】同固定体の正面図である。
【図８】同固定体を上背面から示す斜視図である。
【図９】本発明の実施の形態２に係る床下点検口の蓋を開いた状態での斜視図である。
【図１０】同床下点検口の収納ボックスを開口部から取り外した状態での斜視図である。
【発明を実施するための形態】
【００１１】
［実施の形態１］
以下、本発明の実施の形態１に床下点検口ついて、図面に基づき説明する。
【００１２】
この床下点検口は、図１に示すように、床に形成された矩形の開口部２に設けられるものである。また、前記床下点検口１は、前記開口部２を開閉する蓋３と、前記開口部２に固定されて当該開口部２が蓋３により閉じされる際に当該蓋３を受ける樹脂製の枠受材７とを備える。なお、前記床は、図１に示す開口部２から見えるように、床板２１と、この床板２１を支持する根太などの桁材２２とを備える。前記蓋３は、開口部２を閉じた際に、前記床板２１と同じ高さになるように設計される。
【００１３】
前記蓋３は、内枠および外枠を一体化した矩形の内外一体枠３０と、この内外一体枠３０の内側に張られた蓋板５０と、図示しないが蓋板５０の上面に取り付けられた取手とを有する。前記内外一体枠３０は、図示しないヒンジ構造により、片開き式に構成されていてもよい。また、前記内外一体枠３０は、軽金属（例えばアルミニウム）製であり、矩形を構成する４つの辺部３０ａ〜３０ｄからなる。各辺部３０ａ〜３０ｄは、図２に示すように、前記開口部２の内側に張り出して前記蓋板５０を覆う内鍔部３１と、前記開口部２の縁に張り出して前記開口部２の縁を覆う外鍔部３２と、前記内鍔部３１および外鍔部３２の上面を覆う樹脂製のカバー部４０とを有する。なお、前記各辺部３０ａ〜３０ｄは、必要に応じて、補強材４１が取り付けられる。また、前記各辺部３０ａ〜３０ｄは、これら内鍔部３１および外鍔部３２の境界から開口部２の深さ方向に渡る鉛直部３３と、この鉛直部３３から開口部２の内側に張り出して段差を有する水平段差部３４とを有する。この水平段差部３４は、前記鉛直部３３の下端に接続された上段外周部３５と、この上段外周部３５の内周端に接続された傾斜接続部３８と、この傾斜部６５の下端で且つ内周端に接続された下段内周部３９とを有する。前記上段外周部３５は、小ビス３６により前記蓋板５０を固定するための小ビス用溝３７が上方に形成されている。
【００１４】
前記枠受材７は、前記開口部２の内周面である桁材２２にビス７１で固定される固定体７０と、前記固定体７０の上面、並びに、前記開口部２の内周面および縁に沿う屈曲板６０とを有する。図３に示すように、屈曲板６０は、固定体７０と一体型の構造でもよく、着脱自在でもよい。
【００１５】
図３〜図５に示すように、前記屈曲板６０は、前記固定体７０の上面に載置される上段部６３、傾斜部６５および下段部６６と、この上段部６３から前記開口部２の内周面に沿って立ち上がる立ち上がり部６２と、この立ち上がり部６２の上端から前記開口部２の縁に掛かる掛部６１（上端調整部の一例である）とを有する。すなわち、前記屈曲板６０は、図３および図４に示すように、側面視が乙またはＺに近い形状である。前記上段部６３および下段部６６は、図４および図５に示すように、それぞれの下面に、下向きの係合部６４，６７を有する。また、図２に示すように、前記上段部６３および下段部６６は、内外一体枠３０の上段外周部３５および下段内周部３９を支持し得るので、支持部ともいえる。前記立ち上がり部６２は、その外側面が、前記開口部２の内周面に接するように配置される。また、前記掛部６１が開口部２の縁に掛けられた状態で、前記上段部６３および下段部６６に内外一体枠３０の上段外周部３５および下段内周部３９が支持された際に、前記蓋３が床に対して適切な高さになるように、前記立ち上がり部６２の上下幅ｈが設計される。
【００１６】
図６に示すように、前記固定体７０は、前記桁材２２に固定されるためのビス７１を通すビス用筒７２と、上面に形成された上段台７３および下段台７６とを有する。これら上段台７３および下段台７６は、図６〜図８に示すように、それぞれ前記屈曲板６０の係合部６４，６７に係合される上向きの被係合部７４，７７を有する。図２に示すように、前記上段台７３および下段台７６が、前記屈曲板６０の上段部６３および下段部６６を介して、前記内外一体枠３０の上段外周部３５および下段内周部３９を受ける部分である。
【００１７】
以下、前記床下点検口１の施工方法について説明する。
【００１８】
まず、４つの辺部３０ａ〜３０ｄを平面視で閉じた形状に接続することで、内外一体枠３０を構成するが、この際に、内外一体枠３０における内鍔部３１と水平段差部３４との間に蓋板５０を配置する。そして、水平段差部３４の小ビス用溝３７から、小ビス３６により蓋板５０を固定することで、蓋３を作製する。
【００１９】
一方で、屈曲板６０の係合部６４，６７を固定体７０の被係合部７４，７７に係合させて枠受材７を作製しておき、この屈曲板６０の掛部６１を開口部２の縁に掛けてから、固定体７０のビス用筒７２にビス７１を通して枠受材７を開口部２の内周面である桁材２２に固定する。なお、屈曲板６０が固定体７０と一体型の枠受材７であれば、当然であるが、上述した係合する工程が省略される。
【００２０】
その後、蓋３における内外一体枠３０の上段外周部３５および下段内周部３９を、枠受材７における屈曲板６０の上段部６３および下段部６６に載置することで、開口部２が蓋３により閉じられる。これにより、床下点検口１の施工が完了する。なお、開口部２を開くには、図１に示すように、そのまま蓋３を持ち上げればよい。勿論、図示しない前記ヒンジ構造があれば、内外一体枠３０が片開き式に開かれる。
【００２１】
このように、本発明の実施の形態１に係る床下点検口１によると、内枠および外枠という２つの枠を必要とせず、さらに、掛部６１を開口部２の縁に掛けるだけで当該開口部２を閉じた蓋３が適切な高さにされるので、現場での施工を容易にすることができる。
【００２２】
［実施の形態２］
本発明の実施の形態２に係る床下点検口１は、図９および図１０に示すように、屈曲板６０が収納ボックス６０を構成するものである。
【００２３】
以下、前記実施の形態１と異なる構成である屈曲板６０に着目して説明するとともに、前記実施の形態１と同一の構成については、同一の符号を付してその説明を省略する。
【００２４】
本発明の実施の形態２に係る床下点検口１の屈曲板６０は、図９および図１０に示すように、掛部６１、立ち上がり部６２、上段部６３、傾斜部６５および下段部６６が、平面視で閉じる形状にされている。前記屈曲板６０は、さらに、下段部６６の内周端に接続されて平面視で閉じる４枚の鉛直側板６８と、これら鉛直側板６８の下端に接続された水平底板６９とを有する。すなわち、前記屈曲板６０は、４枚の前記鉛直側板６８に囲われた部分で且つ前記水平底板６９の上に収納空間６が形成された収納ボックス６０となる。なお、前記鉛直側板６８は、必ずしも鉛直である必要はなく、必要とする収納空間６に応じて傾斜してもよい。
【００２５】
図１０に示すように、前記収納ボックス６０は開口部２から取り外せるようにするために、屈曲板６０は、前記固定体７０に対して載せ外し式の着脱自在にされる。このため、前記実施の形態１で説明した前記係合部６４，６７および被係合部７４，７７は、本実施の形態２で不要となる。
【００２６】
このように、本発明の実施の形態２に係る床下点検口１によると、収納ボックス６０を備えるものであっても、内枠および外枠という２つの枠を必要とせず、さらに、掛部６１を開口部２の縁に掛けるだけで当該開口部２を閉じた蓋３が適切な高さにされるので、現場での施工を容易にすることができる。
【００２７】
ところで、前記実施の形態１および２では、開口部２および蓋３が矩形であるとして説明したが、これに限定されるものではなく、平面視で閉じた形状であればよい。
【００２８】
また、前記実施の形態１では、枠受材７の個数について説明しなかったが、各枠受材７の耐久荷重を考慮して決定される。枠受材７の個数は、例えば、開口部２の各辺に対して２つである。
【００２９】
さらに、前記実施の形態１および２では、枠受材７における屈曲板６０が固定体７０に着脱自在である構成として、上段部６３および下段部６６におけるそれぞれの係合部６４，６７と、上段台７３および下段台７６におけるそれぞれの被係合部７４，７７とについて説明したが、これらは一例に過ぎず、他の構成により着脱自在にしてもよい。
【００３０】
加えて、前記実施の形態１および２では、内外一体枠３０が軽金属製、枠受材７およびカバー部４０が樹脂製として説明したが、これらは一例に過ぎず、他の材質であってもよい。
【００３１】
また、前記実施の形態１および２では、上端調整部の一例として掛部６１について説明したが、開口部２の縁に上端を合わせるものであれば、他の構成であってもよい。例えば、前記実施の形態１での屈曲板６０において、掛部６１を有しない構成でもよい。この構成であれば、上下幅ｈの立ち上がり部６２の上端と開口部２の縁の上端とを面合わせするだけで、当該開口部２を閉じた蓋３が適切な高さにされるので、現場での施工を容易にすることができる。
【００３２】
また、前記実施の形態２では、掛部６１も平面視で閉じる形状にされているとして説明したが、このような掛部６１は作製が困難な場合もある。この作製を容易にするために、前記実施の形態２での屈曲板６０において、掛部６１を有しておらず、立ち上がり部６２の上端部を気密材（クッション材など）で構成してもよい。この構成であれば、気密材の上端と開口部２の縁の上端とを面合わせするだけで、当該開口部２を閉じた蓋３が適切な高さにされるので、現場での施工を容易にすることができる。なお、前記気密材は、立ち上がり部６２に接着されたものでもよく、接着されていなくてもよい。
【００３３】
また、前記実施の形態１および２は、全ての点で例示であって制限的なものではない。本発明の範囲は、上述した説明ではなく特許請求の範囲によって示され、特許請求の範囲と均等の意味および範囲内での全ての変更が含まれることが意図される。前記実施の形態で説明した構成のうち「課題を解決するための手段」での第１の発明として記載した構成以外については、任意の構成であり、適宜削除および変更することが可能である。
【符号の説明】
【００３４】
１        床下点検口
２        開口部
３        蓋
７        枠受材
３０        内外一体枠
３１        内鍔部
３２        外鍔部
５０        蓋板
６０        屈曲板
６１        掛部
６２        立ち上がり部
６３        上段部
６４，６７  係合部
６６        下段部
７０        固定体
７２        ビス用筒
７３        上段台
７４，７７  被係合部
７６        下段台
【図１】
2019119985.tif 000003
【図２】
2019119985.tif 000004
【図３】
2019119985.tif 000005
【図４】
2019119985.tif 000006
【図５】
2019119985.tif 000007
【図６】
2019119985.tif 000008
【図７】
2019119985.tif 000009
【図８】
2019119985.tif 000010
【図９】
2019119985.tif 000011
【図１０】
2019119985.tif 000012